(57)【特許請求の範囲】
【請求項１】
ＩＣカ−ド情報を処理する制御部と、
この制御部に接続されたシステムバスと、
このシステムバスに接続されＩＣカ−ドが着脱自在に接続されるＩＣカ−ドインタ−フェ−スと、
前記制御部に情報を入力するための情報入力手段と、
この情報入力手段から入力された情報を前記制御部に送るために前記システムバスと別系統で設けられた専用バスと、
を具備し、
前記制御部は、前記情報入力手段から入力されたＰＩＮ情報からＰＩＮ照合コマンドを生成する手段と、この生成されたＰＩＮ照合コマンドを前記システムバスからＩＣカ−ドインタ−フェ−スを介して前記ＩＣカ−ドに供給する手段とを有する、
ことを特徴とするＩＣカ−ド処理装置。
【請求項２】
ＩＣカ−ド情報を処理する制御部と、
この制御部に接続されたシステムバスと、
このシステムバスに接続されＩＣカ−ドが着脱自在に接続されるＩＣカ−ドインタ−フェ−スと、
前記制御部にＰＩＮを含む取引情報を入力するための情報入力手段とを具備し、
前記制御部は、前記情報入力手段が接続されてこの情報入力手段からの情報を受ける専用の入力／出力ポ−トと、前記情報入力手段から入力されたＰＩＮ情報からＰＩＮ照合コマンドを生成する手段と、この生成されたＰＩＮ照合コマンドを前記システムバスからＩＣカ−ドインタ−フェ−スを介して前記ＩＣカ−ドに供給する手段とを有する、
ことを特徴とするＩＣカ−ド処理装置。
【請求項３】
前記ＰＩＮ照合コマンドを生成する手段は前記ＰＩＮ情報を所定のデ−タフォ−マットに構成する手段を含むことを特徴とする請求項１又は２記載のＩＣカ−ド処理装置。
【請求項４】
前記ＰＩＮ照合コマンドを生成する手段は前記ＰＩＮ情報を所定のデ−タ表現法で表現したＰＩＮデ−タに変換する手段を含むことを特徴とする請求項１又は２記載のＩＣカ−ド処理装置。
【請求項５】
前記所定のデ−タ表現法は少なくともＡＳＣＩＩ表現と、パック表現と、アンパック表現と、バイナリ表現とのうちの一つであることを特徴とする請求項４記載のＩＣカ−ド処理装置。
【発明の詳細な説明】
【０００１】
【発明の属する技術分野】
この発明はＰＩＮなどの秘密保持を要する取引情報が入力されるＩＣカ−ド処理装置に関する。
【０００２】
【従来の技術】
取引に際してＩＣカ−ドを処理する装置では、装置内のＩＣカ−ドが取引に使用可能なカ−ドであるか否かを判断するとともに、ＩＣカ−ドを用いて取引しようとしている操作者がそのカ−ドの正当な所持者であるかを判断し、もしくはＩＣカ−ドに判断させる処理を行う。この時、装置はたとえば表示装置上で操作者に対してカ−ドの正当な所持者のみが知り得るＰＩＮの入力を要求する。
【０００３】
以下、図９のシステムブロック図を参照して従来のＩＣカ−ド処理装置の動作を説明する。図９において、ＩＣカ−ド処理装置１はＣＰＵなどでなる制御部２と、この制御部２に接続されたシステムアドレスバス３とシステムデ−タバス４と、これらのシステムアドレスバス３とシステムデ−タバス４に夫々接続された表示部５と、プログラムＲＯＭ６と、汎用ＲＡＭ７と、ＩＣカ−ドインタ−フェ−ス８と、キ−ボ−ドインタ−フェ−ス９とを有し、さらにこのキ−ボ−ドインタ−フェ−ス９に接続されたキ−ボ−ド１０とよりなる。ＩＣカ−ドインタ−フェ−ス８にはＩＣカ−ド１１が着脱自在に接続される。
【０００４】
このように構成されたＩＣカ−ド処理装置１を用いて取引を行う場合、まず表示部５上にＩＣカ−ドを挿入するように案内が表示される。これに応じて顧客である操作者は保持しているＩＣカ−ド１１を挿入する。これによりＩＣカ−ド１１に装置１から電源が供給され、表示部５には続いてＰＩＮを入力するように案内が表示される。
【０００５】
操作者がＰＩＮをキ−ボ−ド１０から入力すると、このＰＩＮ情報はキ−ボ−ドインタ−フェ−ス９とシステムデ−タバス４を介して制御部２に送られる。制御部２はＰＩＮ情報を受け取ると、このＰＩＮ情報を組み込んだＰＩＮ照合コマンドを生成してこれをシステムデ−タバス４とＩＣカ−ドインタ−フェ−ス８を介してＩＣカ−ド１１に送る。
【０００６】
ＩＣカ−ド内部では予め登録されているＰＩＮ情報と送られてきたＰＩＮ情報とを比較し、一致すればその旨を制御部２に通知する。これにより、制御部２では当該操作者が正当なカ−ド保持者であることを認知することができる。
【０００７】
【発明が解決しようとする課題】
しかしながらこのように構成された従来のＩＣカ−ド処理装置１では秘密保持を要する取引情報であるＰＩＮ情報がキ−ボ−ド１０からキ−ボ−ドインタ−フェ−ス９を介してキ−押し下げ情報としてシステムデ−タバス４を通過して制御部２に送られる。このキ−押し下げ情報はデ−タ構成が簡単であり、システムデ−タバス４を通過するタイミングも分かりやすいため、このシステムデ−タバス４を流れる情報を不正に取得するのは、ＣＰＵである制御部２におけるこのシステムデ−タバス４の接続位置が仕様書などから明白であるために、極めて容易である。
【０００８】
また、ＰＩＮ情報の照合のために制御部２からＩＣカ−ド１１に送られるＰＩＮ照合コマンド内のＰＩＮ情報の構成が一定でかつその表現方法も固定されているために、このＰＩＮ照合コマンドからもＰＩＮ情報を不正に取得することが比較的に容易である。なお、ＩＣカ−ド１１に送られるＰＩＮ照合コマンド内のＰＩＮ情報の表現方法が固定されているため、処理可能なＩＣカ−ドの種類も限定されている。
【０００９】
そこでこの発明は、ＰＩＮ情報などの秘密情報が簡単に窃取されることがなく、また処理可能なＩＣカ−ドの種類を増やす事が出来る構成を有するＩＣカ−ド処理装置を提供することを目的とする。
【００１０】
【課題を解決するための手段】
この発明のＩＣカ−ド処理装置は、ＩＣカ−ド情報を処理する制御部と、この制御部に接続されたシステムバスと、このシステムバスに接続されＩＣカ−ドが着脱自在に接続されるＩＣカ−ドインタ−フェ−スと、前記制御部に情報を入力するための情報入力手段と、この情報入力手段から入力された情報を前記制御部に送るために前記システムバスと別系統で設けられた専用バスとから構成されている。
【００１１】
また、この発明のＩＣカ−ド処理装置は、ＩＣカ−ド情報を処理する制御部と、この制御部に接続されたシステムバスと、このシステムバスに接続されＩＣカ−ドが着脱自在に接続されるＩＣカ−ドインタ−フェ−スと、前記制御部にＰＩＮを含む取引情報を入力するための情報入力手段とを具備し、前記制御部は複数の入力／出力ポ−トを有し、情報入力手段は、複数のキ−スイッチを有するキ−マトリクス回路と、このキ−マトリクス回路と前記制御部の入力／出力ポ−トとを接続する手段とを含む構成を有する。
【００１２】
上記の構成により、ＰＩＮなどの取引情報がキ−ボ−ドからシステムデ−タバスを介さずに直接に制御部に送られるため、秘密情報の窃取が困難となり、また処理可能なＩＣカ−ドの種類を増やす事が出来る。
【００１３】
【発明の実施の形態】
以下、この発明の実施の形態について図面を参照して説明する。
【００１４】
図１に第１の実施例のＩＣカ−ド処理装置２１のブロック図を示す。このＩＣカ−ド処理装置２１は、ＣＰＵなどでなる制御部２２と、この制御部２２に接続されたシステムアドレスバス２３とシステムデ−タバス２４と、これらのシステムアドレスバス２３とシステムデ−タバス２４に夫々接続された液晶表示部２５と、プログラムＲＯＭ２６と、汎用ＲＡＭ２７と、ＩＣカ−ドインタ−フェ−ス２８とを有し、さらに、制御部２２にシステムデ−タバス２４を介さずに専用の入力バス３２を介して接続されたキ−ボ−ドインタ−フェ−ス２９と、このキ−ボ−ドインタ−フェ−ス２９に接続されたキ−ボ−ド３０とを有する。ＩＣカ−ドインタ−フェ−ス２８にはコンタクトが設けられ、このコンタクトを介してＩＣカ−ド１１が着脱自在に接続される。
【００１５】
この専用の入力バス２８はシリアルまたはパラレル構成となっている。
【００１６】
制御部２２はこの装置２１全体の動作を制御するためのＣＰＵを含み、プログラムＲＯＭ２６にはこのＣＰＵの動作プログラムが格納され、汎用ＲＡＭ２７ではＩＣカ−ド３１を用いた取引に用いられる種々のデ−タの書き込み、読出がＣＰＵの制御のもとで行われる。
【００１７】
このように構成されたＩＣカ−ド処理装置２１を用いて取引を行う場合、まず操作者に対して表示部２５上にＩＣカ−ドを挿入するように案内が表示される。これに応じて顧客である操作者は保持しているＩＣカ−ド３１を挿入する。これによりＩＣカ−ド３１にＩＣカ−ドインタ−フェ−ス２８のコンタクトを介して装置２１から電源が供給され、ＩＣカ−ド３１の活性化が行われる。
【００１８】
この状態で表示部２５にはＰＩＮを入力するように案内が表示される。操作者がＰＩＮをキ−ボ−ド３０から入力すると、このＰＩＮ情報は、システムデ−タバス２４を介さずに、キ−ボ−ドインタ−フェ−ス２９を介して直接に制御部２２に送られる。
【００１９】
制御部２２はＰＩＮ情報を受け取ると、このＰＩＮ情報を組み込んだＰＩＮ照合コマンドを生成してこれをシステムデ−タバス２４とＩＣカ−ドインタ−フェ−ス２８を介してＩＣカ−ド３１に送る。
【００２０】
ＩＣカ−ド３１内部では予め登録されているＰＩＮ情報と送られてきたＰＩＮ情報とを比較し、一致すればその旨を制御部２２に通知する。これにより、制御部２では当該操作者が正当なカ−ド保持者であることを認知し、続いて所定の取引操作に移行することができる。
【００２１】
この実施例の場合、入力されたＰＩＮ情報は、従来のようにシステムデ−タバス２４を介さずに、キ−ボ−ドインタ−フェ−ス２９から専用のバス３２を介して直接に制御部２２に送られる。この専用のバス３２は通常のＣＰＵの仕様書には載っていないので、その位置を特定することは困難であり、システムデ−タバス２４からのＰＩＮ情報の不正な窃取を防止することができる。また、この専用のバス３２はシステムデ−タバス２４とは別に設けられているので、仮にシステムデ−タバス２４上で表示部２５に対してＰＩＮの入力を促すデ−タが流れたことが察知されたとしても、入力されるＰＩＮはシステムデ−タバス２４を流れないのでその検知は困難である。
【００２２】
なお、以上の説明では操作者に対するＰＩＮ情報の入力等の案内を表示部２５を用いて行っているが、音声あるいは光などの他の方法で操作の案内を行うこともできることは勿論である。
【００２３】
図２はこの発明の他の実施例の構成を示すブロック図である。図１の実施例ではキ−ボ−ド３０からのキ−入力信号はキ−ボ−ドインタ−フェ−ス２９から専用のバス３２を介して制御部２２に接続しているが、図２の実施例では制御部４２を構成するＣＰＵに予め設けられている特定の入力／出力ポ−ト部４２Ａを利用して、ＰＩＮ入力部４３を構成するキ−マトリクスを形成している。
【００２４】
入力／出力ポ−ト部４２Ａは８個の入力／出力ポ−トＰ００〜Ｐ０７を含み、夫々ＰＩＮ入力部４３を構成する行方向ラインｘ１〜ｘ４と列方向ラインｙ１〜ｙ４と接続される。ラインｘ１〜ｘ４とラインｙ１〜ｙ４との交点にはそれぞれ１０個の数値キ−１〜０と確認、消去、移動などの機能キ−とがマトリクス状に配置される。
【００２５】
ここでは、ポ−トＰ００〜Ｐ０３を入力ポ−トとして、ポ−トＰ０４〜Ｐ０７を出力ポ−トとして設定する。キ−部分は通常オ−プンのスイッチとなっていて、夫々押し下げられるとクロ−ズの状態となり、制御部４２はどのキ−が押されたかを検知することができる。
【００２６】
すなわち、出力ポ−トＰ０４〜Ｐ０７の内の一つを“０”とし、その他を“１”としたときの入力ポ−トＰ００〜Ｐ０３の状態で押し下げキ−を特定できる。
【００２７】
例えば、ポ−トＰ０４に“０”を出力し、Ｐ０５〜Ｐ０７に“１”を出力した場合、入力ポ−トの内のポ−トＰ００のみ“０”が検出され、Ｐ０１〜Ｐ０３では“１”が検出された場合は、▲１▼キ−が押されたことが検知できる。
【００２８】
このように構成した場合、図１のキ−ボ−ドインタ−フェ−ス２９を省略することができ、またキ−ボ−ドを制御部２２のＣＰＵに予め設けられている入力／出力ポ−トＰ００〜Ｐ０７を用いてキ−マトリクスとして構成したので、キ−入力部４３と制御部４２とを結ぶバスが不要となり、図１の実施例と比較してさらにキ−入力情報を窃取することが困難となっている。なお、その他の部分は図１の実施例と同様であるから同一の参照符号を付してその説明は省略する。
【００２９】
図１、図２の実施例ではいずれもＰＩＮ情報を制御部２２あるいは４２へ送る場合に窃取を困難にする構成を示したが、ＰＩＮ照合コマンドを制御部２２あるいは４２からＩＣカ−ド３１へ送る場合にシステムデ−タバス２４を通るので、この部分で窃取される可能性が残っている。以下の説明は図１あるいは図２の実施例においてこのＰＩＮ照合コマンドを制御部２２あるいは４２からＩＣカ−ド３１へ送る場合にその中に含まれるＰＩＮ情報の構成または表現法を改変して、ＰＩＮ情報の読取りを困難にする方法を示している。なお、図１、図２の実施例ではいずれもＰＩＮ照合コマンドを制御部２２あるいは４２からＩＣカ−ド３１へ送る場合にシステムデ−タバス２４を通る動作は同じであるので、以下の説明では図１の実施例を参照して説明する。
【００３０】
図１において制御部２２が操作者からのＰＩＮ入力を専用バス３２を介して受け取ると、制御部からはこの受け取ったＰＩＮ情報を含んで構成されたＩＣカ−ドＰＩＮ照合命令電文、即ちＰＩＮ照合コマンドがシステムデ−タバス２４上に送り出される。
【００３１】
このＰＩＮ照合コマンドはＩＣカ−ドインタ−フェ−ス２８により取り込まれ、図４（ａ）に示したように命令電文としてＩＣカ−ド３１に供給される。前述したように、ＩＣカ−ド３１はこの命令電文を受け取ると、その中に含まれているＰＩＮ情報を取出し、これを予めＩＣカ−ド３１に登録されてあるＰＩＮ情報と照合し、一致するか否かをチェックする。ＩＣカ−ド３１はこのチェック結果に基づいて図４（ａ）に示したように返答電文としてＩＣカ−ドインタ−フェ−ス２８に送り出し、この返答電文は再びシステムデ−タバス２４を介して制御部２２に返送される。
【００３２】
図４（ｂ）はＰＩＮ照合コマンドとして構成された命令電文の構成例を示し、先頭から順番にＰＩＮ照合命令コ−ド５１、長さ情報５２、ＰＩＮ情報部分５３、電文確認コ−ド５４が配列されて構成されている。長さ情報５２は図示のようにＰＩＮ情報部分５３の先頭から末尾までの情報（バイト）の総数を示す情報である。したがって、ＩＣカ−ド３１はこの命令電文を受け取ると、その中に含まれているＰＩＮ情報部分５３を長さ情報５２を参照して取出し、これを予めＩＣカ−ド３１に登録されてあるＰＩＮ情報と照合する。
【００３３】
一方、ＩＣカ−ド３１から送り返される返答電文は図４（ｃ）に示す構成を有し、先頭から順にＰＩＮ照合返答コ−ド５５、長さ情報５６、命令実行結果コ−ド５７、電文確認コ−ド５８が配列されて構成されている。
【００３４】
この発明では図４（ｂ）に示したＰＩＮ照合コマンドのなかのＰＩＮ情報部分５３の情報表現方法をＩＣカ−ドの種類によって変更する方式を提案するものである。以下、図５を参照してこのＰＩＮ情報部分５３の情報表現方法をＩＣカ−ドの種類によって変更する方式を説明する。
【００３５】
図５のフロ−チャ−トにおける「開始」に先立って、図１のＩＣカ−ドインタ−フェ−ス２８に処理対象となるＩＣカ−ド３１を挿入し、このＩＣカ−ド３１の動作に必要な信号を印加してＩＣカ−ド３１から初期応答を得る。
【００３６】
ＩＣカ−ド３１から初期応答を得たのち、図５の最初のステップＳ１に移行して、ＩＣカ−ド３１の性格を表す情報として例えばバ−ジョンなどの情報を取得する。
【００３７】
ＩＣカ−ドインタ−フェ−ス２８は例えばＩＣカ−ド３１のバ−ジョン毎にＰＩＮ照合コマンドのＰＩＮ情報部分の表現方法を持っていて、ステップＳ２において前記取得のバ−ジョン情報毎にその表現方法を決定する。このステップＳ２においては、図５に示したようにＩＣカ−ド３１へ送るＰＩＮ情報の表現の選択が行われる。
【００３８】
この表現方法としては、ＡＳＣＩＩ表現、バイナリ表現、パック表現、アンパック表現等があり、これらの中から選択される。
【００３９】
この後、ステップＳ３において操作者に対してＰＩＮ入力を例えば表示部２５に文字で表示して促し、キ−ボ−ドインタ−フェ−ス２９から専用バス３２を介して取得したＰＩＮ情報をステップＳ４にてさきに決定された表現方法に修正してＩＣカ−ド３１へのＰＩＮ照合コマンドとして命令電文を作成する。
【００４０】
この作成された命令電文はステップＳ５にて制御部２２からＩＣカ−ド３１へ送られ、ＩＣカ−ド３１におけるＰＩＮの照合が行われる。ＩＣカ−ド３１で得られた照合結果はステップＳ６にてＩＣカ−ド３１からの返答電文として制御部２２へ返信され、制御部２２ではステップＳ７において返答電文中の命令実行結果コ−ドの判定を行い、正常に終了するか、あるいは異常終了かを例えば表示部２５に表示する。
【００４１】
図６は表現方法としてＡＳＣＩＩ表現、バイナリ表現、パック表現を用いた場合のＰＩＮ照合コマンドの構成例を示す。
【００４２】
図６（ａ）は「ＡＳＣＩＩ」を選択した場合のＰＩＮ照合コマンド例を示し、ＰＩＮ情報として４桁の数字がそれぞれキ−ボ−ド３０上の「１キ−」、「２キ−」、「３キ−」、「４キ−」から取得されたものとする。従って、長さ情報部６２では１バイトの長さ情報「０４ｈ」となり、ＰＩＮ情報部６３〜６６が順次１バイトの情報「３１ｈ」、「３２ｈ」、「３３ｈ」、「３４ｈ」となる。
【００４３】
また、「バイナリ」表示を選択したときは、図６（ｂ）に示すように長さ情報部７２の長さ情報は変わらずに「０４ｈ」であるが、ＰＩＮ情報部７３〜７６が順次「０１ｈ」、「０２ｈ」、「０３ｈ」、「０４ｈ」となる。
【００４４】
さらに、「パック」表示を選択したときは、図６（ｃ）に示すように、長さ情報部８２の長さ情報は「０２ｈ」となり、ＰＩＮ情報部８３、８４が順次「１２ｈ」、「３４ｈ」となる。
【００４５】
例えば、次にＩＣカ−ドインタ−フェ−ス２８に新しく挿入されたＩＣカ−ドのバ−ジョンが前回のものと異なり、ＰＩＮ情報部分の表現方法が異なるものであった場合、ステップＳ１，Ｓ２で決定した表現方法にてＰＩＮ照合コマンドを作成して同様にＰＩＮ照合処理を実行することができる。
【００４６】
図４、図５、図６ではＰＩＮ情報の表現の選択が行われ、その表現方法としては、ＡＳＣＩＩ表現、バイナリ表現、パック表現、アンパック表現等があり、これらの中から選択される場合について説明したが、このＰＩＮ情報の表現の選択が行われた後でさらにその選択された表現方法で表現されたＰＩＮ情報の順番を変えることにより構成を変換し、システムデ−タバス２４を流れるＰＩＮ情報の不正取得をより効果的に防止することができるようになる。
【００４７】
図７はその構成の変換の色々の変形例を示す。図７（ａ）は図６（ａ）に示した「ＡＳＣＩＩ」を選択した場合において「順方向構成」を選択した例であり、従って図６（ａ）と同じ構成となる。
【００４８】
図７（ｂ）は「逆方向構成」を選択した例で、ＰＩＮ情報部６３〜６６にくる情報が順次「０４ｈ」、「０３ｈ」、「０２ｈ」、「０１ｈ」となる。
【００４９】
図７（ｃ）〜図７（ｆ）はＰＩＮ情報構成として「１バイト構成」を選択した例を示しており、４バイトのＰＩＮ情報全体を伝送するために命令電文が全部で４個となる。
【００５０】
図７（ｃ）は１電文目の構成を示し、最初の情報部６１にはＰＩＮ照合命令コ−ド、２番目の情報部６２には長さ情報「０１ｈ」、３番目の情報部６３には４バイトのＰＩＮ情報のうちの最初のＰＩＮ情報「３１ｈ」、最後の情報部６７には電文確認コ−ドが組み合わされる。
【００５１】
同様に、２電文目は図７（ｄ）に示すように３番目の情報部６４に４バイトのＰＩＮ情報のうちの２番目のＰＩＮ情報「３２ｈ」が来るように構成され、３電文目は図７（ｅ）に示すように３番目の情報部６５に４バイトのＰＩＮ情報のうちの３番目のＰＩＮ情報「３３ｈ」が来るように構成され、４電文目は図７（ｆ）に示すように３番目の情報部６６に４バイトのＰＩＮ情報のうちの４番目のＰＩＮ情報「３４ｈ」が来るように構成される。
【００５２】
図８はこのようにＰＩＮ照合コマンドの構成を選択した場合のＩＣカ−ド処理装置の動作を示すフロ−チャ−トであり、図５と同様に予めＩＣカ−ド３１からの初期応答を受け取った段階から後の動作を示している。
【００５３】
ＩＣカ−ド３１から初期応答を得たのち、図８の最初のステップＳ１１に移行して、ＩＣカ−ド３１の性格を表す情報として例えばバ−ジョンなどの情報を取得する。
【００５４】
ＩＣカ−ドインタ−フェ−ス２８は例えばＩＣカ−ド３１のバ−ジョン毎にＰＩＮ照合コマンドのＰＩＮ情報部分の構成方法を持っていて、ステップＳ１２において前記取得のバ−ジョン情報毎にその構成方法を決定する。このステップＳ１２においては、図７に示したようにＩＣカ−ド３１へ送るＰＩＮ情報の構成の選択が行われる。
【００５５】
この構成方法としては、順方向構成、逆方向構成、１バイド構成等があり、これらの中から選択される。
【００５６】
この後、ステップＳ１３において操作者に対してＰＩＮ入力を例えば表示部２５に文字で表示して促し、キ−ボ−ドインタ−フェ−ス２９から専用バス３２を介して取得したＰＩＮ情報をステップＳ１４にてさきに決定された構成方法に修正してＩＣカ−ド３１へのＰＩＮ照合コマンドとして命令電文を作成する。
【００５７】
この作成された命令電文はステップＳ１５にて制御部２２からＩＣカ−ド３１へ送られ、ＩＣカ−ド３１におけるＰＩＮの照合が行われる。ＩＣカ−ド３１で得られた照合結果はステップＳ１６にてＩＣカ−ド３１からの返答電文として制御部２２へ返信され、制御部２２ではステップＳ１７において返答電文中の命令実行結果コ−ドの判定を行い、正常に終了するか、あるいは異常終了かを例えば表示部２５に表示する。
【００５８】
【発明の効果】
以上詳述したようにこの発明によれば、ＰＩＮ情報などの取引情報がキ−ボ−ドからシステムデ−タバスを介さずに直接に制御部に送られるため、秘密保持を要する取引情報の窃取が困難となり、また処理可能なＰＩＮ情報の表現方法や構成方法などの取引情報を選択できるのでＩＣカ−ドの種類を増やす事が出来る構成を有するＩＣカ−ド処理装置を提供することができる。
【図面の簡単な説明】
【図１】この発明の一実施例システムの構成を示すブロック図。
【図２】他の実施例システムの構成を示すブロック図。
【図３】図２のキ−入力部の具体的構成を示す回路図。
【図４】制御部とＩＣカ−ドとの間で送受される電文の構成図。
【図５】ＩＣカ−ドに送られるＰＩＮ照合コマンド中のＰＩＮ情報の表現を選択する場合の動作を示すフロ−チャ−ト。
【図６】ＰＩＮ照合コマンド中のＰＩＮ情報の表現の例を示す図。
【図７】ＰＩＮ照合コマンド中のＰＩＮ情報の構成の例を示す図。
【図８】ＩＣカ−ドに送られるＰＩＮ照合コマンド中のＰＩＮ情報の構成を選択する場合の動作を示すフロ−チャ−ト。
【図９】従来のＩＣカ−ドシステムの一例を示すブロック図。
【符号の説明】
２１、４１…ＩＣカ−ド処理装置
２２、４２…制御部
２３…システムアドレスバス
２４…システムデ−タバス
２５…表示部
２８…ＩＣカ−ドインタ−フェ−ス
２９…キ−ボ−ドインタ−フェ−ス
３０…キ−ボ−ド
３１…ＩＣカ−ド
３２…専用バス
４３…キ−入力部
【図１】
0003550279.tif 000002
【図２】
0003550279.tif 000003
【図３】
0003550279.tif 000004
【図４】
0003550279.tif 000005
【図５】
0003550279.tif 000006
【図６】
0003550279.tif 000007
【図７】
0003550279.tif 000008
【図８】
0003550279.tif 000009
【図９】
0003550279.tif 000010